(57)【要約】【課題】装置の小型化を図りつつ、細胞懸濁液から不純物を除去して、細胞を高濃度に濃縮することができる細胞濃縮装置を提供する。【解決手段】細胞懸濁液Ａ中の細胞よりも小さな物質を透過させる中空糸膜１１と中空糸膜２１を収容する外筒とを有する第１の中空糸モジュール１０および第２の中空糸モジュール２０と、第１の中空糸モジュール１０の中空糸膜１１の内部と第２の中空糸モジュール２０の中空糸膜２１の内部とを接続するチューブ３６と、第１の中空糸モジュール１０の中空糸膜１１の内部に細胞懸濁液Ａを供給するポンプＰ１と、第１の中空糸モジュール１０内の細胞懸濁液Ａを加圧して、第１の中空糸モジュール１０から第２の中空糸モジュール２０にチューブ３６を介して細胞懸濁液Ａを移動させるポンプＰ２とを備え、第２の中空糸モジュール２０が、第１の中空糸モジュール１０よりも小さな膜容積を有する細胞濃縮装置１を採用する。【選択図】図１
2012035004.tif 000002
【特許請求の範囲】
【請求項１】
細胞懸濁液中の細胞よりも小さな物質を透過させる中空糸膜と該中空糸膜を収容する外筒とを有する第１の中空糸モジュールおよび第２の中空糸モジュールと、
前記第１の中空糸モジュールの中空糸膜の内部と前記第２の中空糸モジュールの中空糸膜の内部とを接続する配管と、
前記第１の中空糸モジュールの中空糸膜の内部に前記細胞懸濁液を供給する細胞懸濁液供給手段と、
前記第１の中空糸モジュール内の前記細胞懸濁液を加圧して、前記第１の中空糸モジュールから前記第２の中空糸モジュールに前記配管を介して前記細胞懸濁液を移動させる加圧手段とを備え、
前記第２の中空糸モジュールが、前記第１の中空糸モジュールよりも小さな膜容積を有する細胞濃縮装置。
【請求項２】
前記第１の中空糸モジュールの中空糸膜の内部に洗浄液を供給する洗浄液供給手段を備える請求項１に記載の細胞濃縮装置。
【請求項３】
前記第１の中空糸モジュールの中空糸膜と外筒との間に洗浄液を供給する洗浄液供給手段を備える請求項１に記載の細胞濃縮装置。
【請求項４】
前記洗浄液供給手段が、洗浄液を拍動させて供給する請求項３に記載の細胞濃縮装置。
【発明の詳細な説明】
【技術分野】
【０００１】
本発明は、細胞濃縮装置に関するものである。
【背景技術】
【０００２】
現在、脂肪の中に含まれる幹細胞を用いた細胞治療が期待されている。この要望に対して、従来、透析装置を用いて血液から細胞治療に用いる細胞（単球）の濃縮を行う血管新生療法用細胞の分離回収システムが知られている（例えば、特許文献１参照）。
また、中空糸膜を透過させることで血液中の白血球を除去する中空糸膜型白血球除去フィルタ装置が知られている（例えば、特許文献２参照）。
【先行技術文献】
【特許文献】
【０００３】
【特許文献１】特開２００５−３３６０８０号公報
【特許文献２】特開平９−１２２２３１号公報
【発明の概要】
【発明が解決しようとする課題】
【０００４】
ここで、細胞治療において細胞を局所に注入する場合は、細胞の容量が少ないことが要求されるが、特許文献１に開示されている分離回収システムでは濃縮率が不十分なため、さらに遠心分離等の濃縮工程が必要となり、細胞塊の発生、装置が大型化するといった問題が生ずる。
【０００５】
一方、特許文献２に開示されている中空糸膜型白血球除去フィルタ装置では、中空糸膜フィルタによる濃縮率が不十分であるため、結局、遠心分離等の濃縮工程が必要となり、細胞塊の発生、装置が大型化するといった問題が生ずる。
【０００６】
本発明は、上述した事情に鑑みてなされたものであって、装置の小型化を図りつつ、細胞を高濃度に濃縮することができる細胞濃縮装置を提供することを目的としている。
【課題を解決するための手段】
【０００７】
上記目的を達成するために、本発明は以下の手段を採用する。
本発明は、細胞懸濁液中の細胞よりも小さな物質を透過させる中空糸膜と該中空糸膜を収容する外筒とを有する第１の中空糸モジュールおよび第２の中空糸モジュールと、前記第１の中空糸モジュールの中空糸膜の内部と前記第２の中空糸モジュールの中空糸膜の内部とを接続する配管と、前記第１の中空糸モジュールの中空糸膜の内部に前記細胞懸濁液を供給する細胞懸濁液供給手段と、前記第１の中空糸モジュール内の前記細胞懸濁液を加圧して、前記第１の中空糸モジュールから前記第２の中空糸モジュールに前記配管を介して前記細胞懸濁液を移動させる加圧手段とを備え、前記第２の中空糸モジュールが、前記第１の中空糸モジュールよりも小さな膜容積を有する細胞濃縮装置を採用する。
【０００８】
本発明によれば、細胞懸濁液供給手段により、第１の中空糸モジュールの中空糸膜の内部に細胞懸濁液が供給されることで、細胞懸濁液中の細胞が中空糸膜の内部に残存する一方で、細胞懸濁液中の赤血球や酵素が水とともに中空糸膜の外部に排出される。これにより、細胞懸濁液中の細胞の洗浄が行われる。そして、第１の中空糸モジュール内の細胞懸濁液が、加圧手段により加圧されることで、配管を介して第２の中空糸モジュールに移動させられる。第２の中空糸モジュールでは、細胞懸濁液中の細胞が中空糸膜の内部に残存する一方で、細胞懸濁液中の水等が中空糸膜の外部に排出される。ここで、第２の中空糸モジュールは、第１の中空糸モジュールよりも小さな膜容積を有しているため、第２の中空糸モジュールの中空糸膜の内部に残存する細胞懸濁液が濃縮される。
【０００９】
以上のように、本発明によれば、細胞懸濁液を洗浄して細胞治療に必要のない赤血球や酵素を除去するとともに、遠心分離機等の設備を設けることなく、細胞懸濁液を高濃度に濃縮することができる。
【００１０】
上記発明において、前記第１の中空糸モジュールの中空糸膜の内部に洗浄液を供給する洗浄液供給手段を備えることとしてもよい。
このようにすることで、第１の中空糸モジュールの中空糸膜内の細胞懸濁液を洗浄液により洗浄して、赤血球や酵素等の不純物を除去することができ、最終的に得られる濃縮された細胞懸濁液中の細胞の純度を高めることができる。
【００１１】
上記発明において、前記第１の中空糸モジュールの中空糸膜と外筒との間に洗浄液を供給する洗浄液供給手段を備えることとしてもよい。
このようにすることで、第１の中空糸モジュールの中空糸膜と外筒との間の圧力を高めて、加圧手段による第１の中空糸モジュールから第２の中空糸モジュールへの細胞懸濁液の移動を補助することができる。
【００１２】
上記発明において、前記洗浄液供給手段が、洗浄液を拍動させて供給することとしてもよい。
このようにすることで、第１の中空糸モジュールの中空糸膜の孔に細胞等が付着してしまった場合にも、洗浄液を拍動させることにより、孔から細胞等を剥離させることができる。これにより、細胞懸濁液の洗浄性を高めるとともに、最終的に得られる細胞（細胞懸濁液）の収率を高めることができる。
【発明の効果】
【００１３】
本発明によれば、装置の小型化を図りつつ、細胞を高濃度に濃縮することができるという効果を奏する。
【図面の簡単な説明】
【００１４】
【図１】本発明の一実施形態に係る細胞濃縮装置の全体構成図である。
【図２】図１の細胞濃縮装置における細胞懸濁液の供給動作を示す図である。
【図３】図１の細胞濃縮装置における細胞懸濁液の洗浄動作を示す図である。
【図４】図１の細胞濃縮装置における細胞懸濁液の洗浄動作（逆洗）を示す図である。
【図５】図１の細胞濃縮装置における細胞懸濁液の濃縮動作を示す図である。
【図６】図１の細胞濃縮装置における細胞懸濁液の廃液動作を示す図である。
【図７】図１の細胞濃縮装置における細胞懸濁液の回収動作を示す図である。
【図８】図１の変形例に係る細胞濃縮装置の全体構成図である。
【発明を実施するための形態】
【００１５】
本発明の一実施形態に係る細胞濃縮装置１について、図面を参照して以下に説明する。
本実施形態に係る細胞濃縮装置１は、図１に示されるように、細胞懸濁液Ａを収容する細胞懸濁液容器５と、洗浄液Ｂを収容する洗浄液容器６と、廃液Ｃ（図２参照）を収容する廃液容器７と、複数の中空糸を有する第１の中空糸モジュール１０および第２の中空糸モジュール２０と、これらを接続するチューブ３１〜３７とを備えている。
【００１６】
細胞懸濁液容器５は、細胞懸濁液Ａを収容する容器であり、容器の上部には、細胞懸濁液Ａの増減に伴って容器内に外気を出し入れするベントノズル１５と、ベントノズル１５に設けられたベントフィルタ１６とを備えている。ここで、細胞懸濁液Ａとは、例えば脂肪組織等の生体組織を消化酵素液と混合して攪拌することにより、脂肪組織を構成する脂肪由来細胞等が単離されて浮遊した懸濁液のことである。
【００１７】
第１の中空糸モジュール１０は、細胞懸濁液Ａ中の細胞よりも小さな物質を透過させる複数の中空糸膜１１と、これら中空糸膜１１を収容する外筒１２とを有している。なお、図において、第１の中空糸モジュール１０を模式的に示しているため、外筒１２内には１本の中空糸膜１１しか図示していないが、外筒１２内には複数の中空糸膜１１が収容されている。
【００１８】
中空糸膜１１は、ストロー状の形状を有し、内部が中空に形成された膜であり、表面に細胞懸濁液Ａ中の細胞よりも小さな孔を多数有している。このような構成を有することで、中空糸膜１１の内部に細胞懸濁液Ａを通過させることにより、中空糸膜１１の内部に細胞懸濁液Ａ中の細胞を残存させ、中空糸膜１１の外部に細胞懸濁液Ａ中の赤血球や酵素を水とともに排出するようになっている。これにより、細胞懸濁液Ａ中の細胞と赤血球や酵素等の不要物との分離、すなわち、細胞懸濁液Ａの洗浄を行うことができる。
【００１９】
中空糸膜１１の孔径は、赤血球（φ約７．８μｍ）を通し、脂肪由来幹細胞（φ約１０μｍ以上）を通さないものが望ましいため、８〜１０μｍが最適である。中空糸の素材としては、生体適合性を勘案し、例えば、ポリエチレンテレフタラート、セルロース、セルローストリアセテート、ポリスルホン、ポリアクリロニトリル、ポリフッ化ビニリデン、ポリプロピレンが好ましい。
外筒１２は、例えば円筒形のケーシングであり、内部に複数の中空糸膜１１を収容するようになっている。
【００２０】
細胞懸濁液容器５と第１の中空糸モジュール１０とは、チューブ３１により接続されている。チューブ３１は、第１の中空糸モジュール１０の中空糸膜１１の内部に接続されており、その途中位置には、ポンプ（細胞懸濁液供給手段）Ｐ１が設けられている。ポンプＰ１は、例えばチューブポンプであり、ローラ（図示略）によりチューブ３１を圧迫して押し潰し、この圧迫位置を吐出方向へ移動することによって、チューブ３１内の細胞懸濁液Ａを押し出し搬送するようになっている。これにより、ポンプＰ１は、細胞懸濁液容器５内の細胞懸濁液Ａを、チューブ３１を介して、第１の中空糸モジュール１０の中空糸膜１１の内部に供給するようになっている。
【００２１】
洗浄液容器６と第１の中空糸モジュール１０とは、チューブ３３により接続されている。チューブ３３は、第１の中空糸モジュール１０の中空糸膜１１の外部（中空糸膜１１と外筒１２との間）に接続されており、その途中位置には、バルブＶ１が設けられている。このバルブＶ１を開くことで、第１の中空糸モジュール１０の中空糸膜１１の外部に洗浄液Ｂを供給することができる。
【００２２】
チューブ３１におけるポンプＰ１と第１の中空糸モジュール１０との間には、チューブ３２が接続されている。チューブ３２は、他端側が洗浄液容器６に接続されており、その途中位置には、ポンプ（加圧手段、洗浄液供給手段）Ｐ２が設けられている。ポンプＰ２は、ポンプＰ１と同様の構成を有しており、チューブ３２内の洗浄液Ｂを押し出し搬送するようになっている。これにより、ポンプＰ２は、洗浄液容器６内の洗浄液Ｂを、チューブ３１，３２を介して、第１の中空糸モジュール１０の中空糸膜１１の内部に供給するようになっている。
【００２３】
廃液容器７は、第１の中空糸モジュール１０および第２の中空糸モジュール２０からの廃液Ｃを収容する容器であり、容器の上部には、廃液Ｃの増減に伴って容器内に外気を出し入れするベントノズル１７と、ベントノズル１７に設けられたベントフィルタ１８とを備えている。
【００２４】
第１の中空糸モジュール１０と廃液容器７とは、チューブ３４により接続されている。チューブ３４は、第１の中空糸モジュール１０の中空糸膜１１の外部（中空糸膜１１と外筒１２との間）に接続されており、その途中位置には、バルブＶ２が設けられている。このバルブＶ２を開くことで、第１の中空糸モジュール１０の中空糸膜１１の外部の廃液Ｃを廃液容器７に排出することができる。
【００２５】
第２の中空糸モジュール２０と廃液容器７とは、チューブ３５により接続されている。チューブ３５は、第２の中空糸モジュール２０の中空糸膜２１の外部（中空糸膜２１と外筒２２との間）に接続されており、その途中位置には、バルブＶ５が設けられている。このバルブＶ５を開くことで、第２の中空糸モジュール２０の中空糸膜２１の外部の廃液Ｃを廃液容器７に排出することができる。
【００２６】
第２の中空糸モジュール２０は、第１の中空糸モジュール１０と同様に、細胞懸濁液Ａ中の細胞よりも小さな物質を透過させる複数の中空糸膜２２と、これら中空糸膜２２を収容する外筒２２とを有している。なお、図において、第２の中空糸モジュール２０を模式的に示しているため、外筒２２内には１本の中空糸膜２２しか図示していないが、外筒２２内には複数の中空糸膜２２が収容されている。
【００２７】
ここで、第２の中空糸モジュール２０は、第１の中空糸モジュール１０よりも小さな膜容積を有している。すなわち、第２の中空糸モジュール２０の中空糸膜２２は、第１の中空糸モジュール１０の中空糸膜１２よりも、その内容積が小さく構成されている。これにより、第１の中空糸モジュール１０の中空糸膜１２内から、第２の中空糸モジュール２０の中空糸膜２２内へ、細胞懸濁液Ａを移動させることで、細胞懸濁液Ａの濃縮を行うことができる。
【００２８】
第１の中空糸モジュール１０と第２の中空糸モジュール２０とは、チューブ（配管）３６により接続されている。チューブ３６は、第１の中空糸モジュール１０の中空糸膜１１の内部と、第２の中空糸モジュール２０の中空糸膜２２の内部とを接続しており、その途中位置には、バルブＶ３が設けられている。このバルブＶ３を開き、ポンプＰ２を作動させて、第１の中空糸モジュール１０の中空糸膜１１の内部に洗浄液Ｂを押し込むことにより、第１の中空糸モジュール１０の中空糸膜１２内から、第２の中空糸モジュール２０の中空糸膜２２内へ、細胞懸濁液Ａを移動させることができる。
【００２９】
第２の中空糸モジュール２０の他端側には、チューブ３７が接続されている。チューブ３７は、一端が第２の中空糸モジュール２０の中空糸膜２２の内部に接続され、他端にはルアーキャップ３８が設けられ、その途中位置には、バルブＶ４が設けられている。このバルブＶ４を開き、ルアーキャップ３８を外して、シリンジ等によりチューブ３７内を吸引することにより、第２の中空糸モジュール２０の中空糸膜２２内部の細胞懸濁液Ａを回収できるようになっている。
【００３０】
上記構成を有する細胞濃縮装置１の動作について、具体的な数値を例示して以下に説明する。
前提条件として、３７５ｍｌの細胞懸濁液Ａから赤血球を除去し、３ｍｌに濃縮することを目標とする。また、第１の中空糸モジュール１０の容積は、中空糸膜１１の外側が５０ｍｌ，中空糸膜１１の内側が５０ｍｌとし、中空糸膜１１の表面積は１．５ｍ２とする。また、第２の中空糸モジュール２０の容積は、中空糸膜２１の外側が１．５ｍｌ，中空糸膜１１の内側が１．５ｍｌとし、中空糸膜２１の表面積は０．１ｍ２とする。なお、第１の中空糸モジュール１０，第２の中空糸モジュール２０ともに、中空糸膜の孔径は、前述のように８〜１０μｍとする。また、ポンプＰ１，Ｐ２ともに、能力は１００ｍｌ／ｍｉｎとする。
【００３１】
まず、図２に示すように、ポンプＰ１を作動させ、細胞懸濁液容器５内の細胞懸濁液Ａを、第１の中空糸モジュール１０の中空糸膜１１の内部に供給する。この際、バルブＶ１、Ｖ３は閉じ、ポンプＰ２は停止させておく。これにより、細胞懸濁液Ａ中の細胞が中空糸膜１１の内部に残存する一方で、細胞懸濁液Ａ中の赤血球や酵素が水とともに中空糸膜１１の外部に排出される。具体的には、例えば１２５ｍｌの細胞懸濁液Ａを第１の中空糸モジュール１０の中空糸膜１１の内部に供給することで、中空糸膜１１の内部に５０ｍｌの細胞懸濁液Ａを残存させ、５０ｍｌの水および不純物（赤血球、酵素）を中空糸膜１１の外部に排出する。そして、この状態においてバルブＶ２を開くことで、中空糸膜１１の外部に排出された２５ｍＬの細胞懸濁液Ａ中の不純物が水とともに、廃液容器７に廃液Ｃとして排出される。
【００３２】
次に、図３に示すように、ポンプＰ２を作動させ、洗浄液容器６内の洗浄液Ｂを、第１の中空糸モジュール１０の中空糸膜１１の内部に供給する。具体的には、ポンプＰ２（能力１００ｍｌ／ｍｉｎ）を４０秒間作動させることで、約６７ｍｌの洗浄液Ｂを、第１の中空糸モジュール１０の中空糸膜１１の内部に供給する。この際、バルブＶ３は閉じ、ポンプＰ１は停止させておく。
【００３３】
これにより、細胞懸濁液Ａ中の細胞が中空糸膜１１の内部に残存する一方で、細胞懸濁液Ａ中の赤血球や酵素が洗浄液Ｂとともに中空糸膜１１の外部に排出される。そして、バルブＶ２を開くことで、中空糸膜１１の外部に排出された細胞懸濁液Ａ中の赤血球や酵素が、洗浄液Ｂとともに廃液容器７に廃液Ｃとして排出される。これにより、中空糸膜１１の内部の細胞懸濁液Ａの洗浄が行われる。
【００３４】
また、図４に示すように、ポンプＰ１を逆回転させることにより、第１の中空糸モジュール１０の中空糸膜１１の内部の細胞懸濁液Ａを、細胞懸濁液容器５内に一時的に戻すこととしてもよい。具体的には、ポンプＰ１（能力１００ｍｌ／ｍｉｎ）を２０秒間作動させることで、約３３ｍｌの細胞懸濁液Ａを、細胞懸濁液容器５内に一時的に戻す。また、この場合には、バルブＶ１を開くことで、洗浄液容器６内の洗浄液Ｂが、第１の中空糸モジュール１０の中空糸膜１１の外部に供給され、中空糸膜１１の孔を通過して中空糸膜１１の内部に入り込む。
【００３５】
その後、図２に示すように、再度ポンプＰ１を作動させ、細胞懸濁液容器５内の細胞懸濁液Ａを、第１の中空糸モジュール１０の中空糸膜１１の内部に戻す。これらの動作を繰り返すことで、中空糸膜１１の孔に付着した細胞を剥がしたり、細胞懸濁液Ａ中の不純物（赤血球、酵素）を除去することができ、細胞懸濁液Ａの洗浄効率を向上することができる。
【００３６】
次に、図５に示すように、ポンプＰ２を作動させ、洗浄液容器６内の洗浄液Ｂを、第１の中空糸モジュール１０の中空糸膜１１の内部に供給する。この際、バルブＶ１，Ｖ２，Ｖ４を閉じるとともに、バルブＶ３は開いておく。これにより、第１の中空糸モジュール１０の中空糸膜１１内部の細胞懸濁液Ａが、ポンプＰ２により加圧され、チューブ３６を介して第２の中空糸モジュール２０の中空糸膜２１の内部に移動させられる。
【００３７】
第２の中空糸モジュール２０では、第１の中空糸モジュール１０と同様に、細胞懸濁液Ａ中の細胞が中空糸膜２１の内部に残存する一方で、細胞懸濁液Ａ中の水等が中空糸膜２１の外部に排出される。ここで、第２の中空糸モジュール２０は、第１の中空糸モジュール１０よりも小さな膜容積を有しているため、第２の中空糸モジュール２０の中空糸膜２１の内部に残存する細胞懸濁液Ａが濃縮される。具体的には、第１の中空糸モジュール１０から送られる５０ｍｌの細胞懸濁液Ａのうち、中空糸膜２１の内部に１．５ｍｌの細胞懸濁液Ａを残存させ、１．５ｍｌの水等を中空糸膜２１の外部に排出する。そして、この状態において、バルブＶ５を開くことで、中空糸膜２１の外部に排出された４６ｍＬの水等が、廃液容器７に廃液Ｃとして排出される。
【００３８】
次に、図６に示すように、バルブＶ２を開くことで、第１の中空糸モジュール１０の中空糸膜１１の外部に残った細胞懸濁液Ａ中の赤血球や酵素が、洗浄液Ｂとともに廃液Ｃとして廃液容器７に排出される。
【００３９】
次に、図７に示すように、ルアーキャップ３８を外して、シリンジ３０をチューブ３７の開口端に接続する。そして、バルブＶ４を開き、シリンジ３０により吸引することで、第２の中空糸モジュール２０の中空糸膜２２内部において濃縮された１．５ｍｌの細胞懸濁液Ａが回収される。
【００４０】
以上のように、本実施形態に係る細胞濃縮装置１によれば、ポンプＰ１により、第１の中空糸モジュール１０の中空糸膜１１の内部に細胞懸濁液Ａが供給されることで、細胞懸濁液Ａ中の細胞が中空糸膜１１の内部に残存する一方で、細胞懸濁液Ａ中の赤血球や酵素が水とともに中空糸膜１１の外部に排出される。これにより、細胞懸濁液Ａ中の細胞の洗浄が行われる。そして、第１の中空糸モジュール１０内の細胞懸濁液Ａが、ポンプＰ２により加圧されることで、チューブ３６を介して第２の中空糸モジュール２０に移動させられる。
【００４１】
第２の中空糸モジュール２０では、細胞懸濁液Ａ中の細胞が中空糸膜２１の内部に残存する一方で、細胞懸濁液Ａ中の水等が中空糸膜２１の外部に排出される。ここで、第２の中空糸モジュール２０は、第１の中空糸モジュール１０よりも小さな膜容積を有しているため、第２の中空糸モジュール２０の中空糸膜２１の内部に残存する細胞懸濁液Ａが濃縮される。
【００４２】
このように、本実施形態に係る細胞濃縮装置１によれば、細胞懸濁液Ａを洗浄して細胞治療に必要のない赤血球や酵素を除去するとともに、遠心分離機等の設備を設けることなく、細胞懸濁液Ａを高濃度に濃縮することができる。
【００４３】
また、ポンプＰ２により、第１の中空糸モジュール１０の中空糸膜１１の内部に洗浄液Ｂを供給することで、第１の中空糸モジュール１０の中空糸膜１１内の細胞懸濁液Ａを洗浄液Ｂにより洗浄して、赤血球や酵素等の不純物を除去することができ、最終的に得られる濃縮された細胞懸濁液Ａ中の細胞の純度を高めることができる。
【００４４】
なお、チューブ３３にポンプ（洗浄液供給手段）を設け、第１の中空糸モジュール１０から第２の中空糸モジュール２０へ細胞懸濁液Ａを移動させる際に、このポンプにより、第１の中空糸モジュール１０の中空糸膜１１と外筒１２との間に洗浄液Ｂを供給しておいてもよい。
【００４５】
このようにすることで、第１の中空糸モジュール１０の中空糸膜１１と外筒１２との間の圧力を高めて、中空糸膜１１の外部に細胞懸濁液Ａが漏れてしまうことを防止し、ポンプＰ２による第１の中空糸モジュール１０から第２の中空糸モジュール２０への細胞懸濁液Ａの移動を補助することができる。
【００４６】
また、上記のポンプが、洗浄液Ｂを拍動させて供給することとしてもよい。
このようにすることで、第１の中空糸モジュール１０の中空糸膜１１の孔に細胞等が付着してしまった場合にも、洗浄液Ｂを拍動させて供給することにより、中空糸膜１１の孔から細胞等を剥離させることができる。これにより、細胞懸濁液Ａの洗浄性を高めるとともに、最終的に得られる細胞（細胞懸濁液Ａ）の収率を高めることができる。
【００４７】
［変形例］
また、本実施形態に係る細胞濃縮装置１の変形例として、図８に示すように、第１の中空糸モジュール１０を傾けて配置し、第１の中空糸モジュール１０の下方位置にチューブ３１を接続するとともに、第１の中空糸モジュール１０の上方位置にチューブ３４を接続してもよい。
【００４８】
本変形例に係る細胞濃縮装置２によれば、第１の中空糸モジュール１０の中空糸膜１１の内部において、細胞懸濁液Ａ中の比重の大きな細胞が、中空糸膜１１内の下方に沈降する。すなわち、細胞懸濁液Ａ中の細胞と洗浄液Ｂ等の不純物とを、重力および中空糸膜１１により分離させることができ、細胞懸濁液Ａの洗浄性を向上することができる。
【００４９】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００５０】
１，２  細胞濃縮装置
５  細胞懸濁液容器
６  洗浄液容器
７  廃液容器
１０  第１の中空糸モジュール
１１  中空糸膜
１２  外筒
２０  第２の中空糸モジュール
２１  中空糸膜
２２  外筒
３１〜３７  チューブ
Ａ  細胞懸濁液
Ｂ  洗浄液
Ｃ  廃液
Ｐ１  ポンプ（細胞懸濁液供給手段）
Ｐ２  ポンプ（加圧手段、洗浄液供給手段）
Ｖ１〜Ｖ５  バルブ
【図１】
2012035004.tif 000003
【図２】
2012035004.tif 000004
【図３】
2012035004.tif 000005
【図４】
2012035004.tif 000006
【図５】
2012035004.tif 000007
【図６】
2012035004.tif 000008
【図７】
2012035004.tif 000009
【図８】
2012035004.tif 000010